(57)【要約】      （修正有）【課題】全体の外観の悪化を回避した芳香剤噴霧器を提供する。【解決手段】台座１は、その底端にファン１３が設けられ、頂端に液体収容コップ１２が固定され、発振器が組み付けられた液体収容コップの頂端の環状エッジには切り欠が開設され、開口に設けられる蓋は、中央には排気口２４１が開設され、周縁に吸気口２４２が開設され、液体収容コップの環状エッジの頂端には噴霧ガイドマスク３が固定され、噴霧ガイドマスクの底端面には、第一リング部３１と、第一リング部を囲んでいる第二リング部３２とが形成され、第一リング部は蓋の排気口に寄っており、第二リング部は蓋の吸気口の内側に寄っている。【選択図】図１
0003143839.tif 000002
【実用新案登録請求の範囲】
【請求項１】
台座を有し、
前記台座は、底端にファンが設けられており、
頂端に液体収容コップが固定されており、
前記液体収容コップには発振器が組み付けられており、
前記液体収容コップは、頂端の環状エッジには切り欠が開設されており、
開口に蓋が設けられており、
前記蓋は、中央には排気口が開設されており、周縁に吸気口が開設されており、
前記液体収容コップの環状エッジの頂端には噴霧ガイドマスクが固定されており、
前記噴霧ガイドマスクの底端面には、第一リング部と、前記第一リング部を囲んでいる第二リング部と、が形成されており、
前記第一リング部は前記蓋の排気口に寄っており、
前記第二リング部は前記蓋の吸気口の内側に寄っており、
前記噴霧ガイドマスクの第一リング部と第二リング部の間の頂端には噴霧口が開設されており、
前記第一リング部の前記噴霧口から遠ざかった一端には剖開溝が開設されていることを特徴とする
芳香剤噴霧器。
【請求項２】
前記液体収容コップには光源が組み付けられていることを特徴とする、請求項１に記載の芳香剤噴霧器。
【考案の詳細な説明】
【技術分野】
【０００１】
本考案は、芳香剤噴霧器の構造に関し、特に、噴出される前に、より大きい体積の霧が凝縮されて液体収容コップに回流することができ、噴霧器全体の外観の悪化を回避可能な芳香剤噴霧器に関するものである。
【背景技術】
【０００２】
従来の芳香剤噴霧器は、図４に示すように、メーン台座４と、液体収容ケース５と、蓋６と、発振器７と、吸気モータ８と、などから構成されている。
メーン台座４はほぼ矩形断面形状を有するテーパ体である。
頂端にある蓋６には縦方向以外の方向に沿って設けられた噴出部６１が凸設されている。
メーン台座４の内部には液体収容ケース５が設けられている。
液体収容ケース５の底部には、その中心に穴が開設されており、発振器７が連接されている。
液体収容ケース５の底部には液体切れ警告装置５１が設けられていて、前記液体切れ警告装置５１により芳香剤を適時に補足することができる。
メーン台座４の底部には、空気チェンバー４１にある熱い空気を吸い込むための吸気モータ８が設けられている。
すなわち、液体収容ケース５の底部に設けられた発振器７の振動により、液体収容ケース５内に収容されている芳香剤が霧になって蓋６の上に凸設された噴出口６１から大気に噴出される。
【０００３】
しかしながら、従来の芳香剤噴霧器によれば、霧になった芳香剤が蓋６の上に凸設された噴出口６１から大気に直接に噴出されるが、霧になった芳香剤が多過ぎる場合には、噴出された直後に、芳香剤がメーン台座の周りに凝縮してしまう。そうすると、全体の外観が悪化するといった欠点があった。
【考案の開示】
【考案が解決しようとする課題】
【０００４】
本考案の主な目的は、噴出される前に、より大きい体積の霧が凝縮されて液体収容コップに回流することができ、全体外観の悪化を回避可能な芳香剤噴霧器を提供することにある。
【課題を解決するための手段】
【０００５】
本考案の請求項１に記載の芳香剤噴霧器によると、台座を有し、前記台座は、底端にファンが設けられており、頂端に液体収容コップが固定されており、前記液体収容コップには発振器が組み付けられており、前記液体収容コップは、頂端の環状エッジには切り欠が開設されており、開口に蓋が設けられており、前記蓋は、中央には排気口が開設されており、周縁に吸気口が開設されており、前記液体収容コップの環状エッジの頂端には噴霧ガイドマスクが固定されており、前記噴霧ガイドマスクの底端面には、第一リング部と、前記第一リング部を囲んでいる第二リング部と、が形成されており、前記第一リング部は前記蓋の排気口に寄っており、前記第二リング部は前記蓋の吸気口の内側に寄っており、前記噴霧ガイドマスクの第一リング部と第二リング部の間の頂端には噴霧口が開設されており、前記第一リング部の前記噴霧口から遠ざかった一端には剖開溝が開設されていることを特徴とする芳香剤噴霧器である。
本考案の請求項２に記載の芳香剤噴霧器によると、前記液体収容コップには光源が組み付けられている。
【考案の効果】
【０００６】
本考案の芳香剤噴霧器によれば、噴出される前に、より大きい体積の霧が凝縮されて液体収容コップに回流することができるので、全体の外観が悪化することを回避できるという優れた効果を有する。
【考案を実施するための最良の形態】
【０００７】
以下、本考案の実施の形態を図面に基づいて説明する。
まず、図１を参照する。本考案に係る芳香剤噴霧器は、台座１と、液体収容コップ２と、噴霧ガイドマスク３と、を含む。
台座１は、下半部に多数の湾曲部１１が形成されており、底端に底ディスク１２が固定されている。
底ディスク１２の中心には複数の吸気穴１２１が開設されており、吸気穴１２１に応じてファン１３が組み付けられている。
液体収容コップ２は、底端に発振器２１が組み付けられており、頂端に沿って環状エッジ２２が凸設されている。
環状エッジ２２には切り欠２２１が複数に開設されている。
切り欠２２１の近傍には複数の光源２３が組み付けられている。
光源２３は例えば発光ダイオード（light emitting diode,ＬＥＤ）を採用してもよい。
また、液体収容コップ２の開口には蓋２４が設けられている。
蓋２４の中心には排気口２４１が開設されている。蓋２４の周縁に沿って吸気口２４２が複数に開設されているとともに、蓋２４の底端の周縁に沿って回流口２４３が複数に開設されている。
【０００８】
噴霧ガイドマスク３の底端面には、下方へ延びている第一リング部３１及び第二リング部３２が設けられている。
第二リング部３２が第一リング部３１を囲んでいる。
第一リング部３１と第二リング部３２の間の頂端には円弧形状を呈する噴霧口３３が開設されている。
第一リング部３１の噴霧口３３から遠ざかった一端には剖開溝３１１が多数に開設されている。
【０００９】
次に、図１及び図２を参照しながら本考案の組付方法を説明する。
まず、台座１の頂端に液体収容コップ２の頂端に設けられた環状エッジ２２を係止することにより、液体収容コップ２が台座１の内部に設けられる。
そして液体収容コップ２に水及び芳香剤などを注入して蓋２４をカバーして、液体収容コップ２の環状エッジ２２の頂端に噴霧ガイドマスク３の底端を係止する。
これにより、第一リング部３１が蓋２４の中心に設けられた排気口２４１に寄っており、第二リング部３２が蓋２４の周縁に設けられた吸気口２４２の内側に寄っている。
【００１０】
次に、図２及び図３を参照しながら本考案の使用状態を説明する。
まず、電源をオンにして液体収容コップ２の底端に設けられた発振器２１を起動させることで、液体収容コップ２に収容された水及び芳香剤などが発振器２１に振動されて霧になる。
このとき、台座１の底端に設けられたファン１３を起動して、空気は、ファン１３により底ディスク１２の中心に開設された吸気穴１２１からが吸入されて頂端に流して、環状エッジ２２に開設された複数の切り欠２２１を通過して、噴霧ガイドマスク３の底端と第二リング３２の間に流入して第二リング３２にストップされて、蓋２４の周縁に設けられた吸気口２４２から液体収容コップ２の内部に流入して、水及び芳香剤などの霧を連れて蓋２４の中心に開設された排気口２４１を通過して第一リング部３１に流入して、第一リング部３１の剖開溝３１１を経由して第一リング部３１と第二リング部３２の間に流入して、１８０度の角度を回った後、水及び芳香剤などの霧が噴霧口３３から大気に噴出される。
空気が水及び芳香剤などの霧を連れて蓋２４の中心に開設された排気口２４１を通過して第一リング部３１に流入しているときには、より大きい体積の霧と、振動されて噴出された水滴とが、第一リング部３１の頂端に凝縮されて、蓋２４の中心に開設された排気口２４１から液体収容コップ２に回流する。
また第一リング部３１の剖開溝３１１を経由して第一リング部３１と第二リング部３２の間に流入する少数の水滴は、第二リング部３２に沿って、蓋２４の周縁に開設された吸気口２４２、又は回流口２４３を経由して液体収容コップ２に回流する。
そうすると、噴霧口３３から噴出される前に、より大きい体積の霧が凝縮されて液体収容コップ２に回流することができ、水及び芳香剤などの霧が噴霧ガイドマスク３又は台座１の周りに凝縮することがなくなる。
そのため、全体の外観の悪化を回避することができる。
【図面の簡単な説明】
【００１１】
【図１】本考案の分解斜視図である。
【図２】本考案の組合せ状態の構造を示す断面図である。
【図３】本考案の組合せ状態の一部の構造を示す拡大断面図である。
【図４】従来のものの組合せ状態の構造を示す断面図である。
【符号の説明】
【００１２】
１：台座、２：液体収容コップ、３：噴霧ガイドマスク、４：メーン台座、５：液体収容ケース、６：蓋、７：発振器、８：吸気モータ、１１：湾曲部、１２：底ディスク、１３：ファン、２１：発振器、２２：環状エッジ、２３：光源、２４：蓋、３１：第一リング部、３２：第二リング部、３３：噴霧口、４１：空気チェンバー、５１：液体切れ警告装置、６１：噴出部、１２１：吸気穴、２２１：切り欠、２４１：排気口、２４２：吸気口、２４３：回流口、３１１：剖開溝。
【図１】
0003143839.tif 000003
【図２】
0003143839.tif 000004
【図３】
0003143839.tif 000005
【図４】
0003143839.tif 000006